(57)【特許請求の範囲】
【請求項１】
透液性の表面シートと不透液性の裏面シートとの間に吸収体が介在されるとともに、前記裏面シートの外面側に帽子に対する固定のための粘着剤層が形成された帽子用吸汗シートであって、
前記帽子用吸汗シートは、平面視で、帯状に形成される帯状シート部と、この帯状シート部の長手方向中央部から幅方向に延在して形成されるつば用シート部とから構成され、
使用時に、前記帯状シート部を帽子の内側の縁部に沿って固定するとともに、前記つば用シート部を基端部より折り曲げて帽子のつばの内側に固定するようにし、
前記帯状シート部とつば用シート部との境界部分又はその近傍に前記吸収体を貫通するスリットが形成され、このスリットが前記つば用シート部の折り曲げ基端部とされ、前記スリットは、前記帯状シート部の長手方向に対し間欠的に設けられていることを特徴とする帽子用吸汗シート。
【請求項２】
前記帯状シート部とつば用シート部との境界部分又はその近傍の両側部に、前記吸収体が切り欠かれるとともに、表面シートと裏面シートとを接合した吸収体切欠き部が形成され、この吸収体切欠き部に切り込み線が設けられるか、前記表面シート及び裏面シートが伸縮性を有する素材で構成され、前記吸収体のみに切り込み線が設けられるか、前記裏面シートが伸縮性を有する素材で構成され、前記表面シート及び吸収体に切り込み線が設けられ、且つこの切り込み線を設けた箇所の表面シートの外面側に伸縮性シートが設けられるか、前記表面シート、吸収体及び裏面シートに切り込み線が設けられ、且つこの切り込み線が設けられた箇所の表面シート及び裏面シートの外面側にそれぞれ伸縮性シートが設けられている請求項１記載の帽子用吸汗シート。
【請求項３】
前記帯状シート部の長手方向中央部には幅方向に沿う圧縮線が設けられるとともに、前記つば用シート部には前記帯状シート部の長手方向中央部に対応する位置から幅方向に沿う線を含む圧縮線が設けられている請求項１、２いずれかに記載の帽子用吸汗シート。
【請求項４】
前記スリットは、前記表面シートから裏面シートまで貫通して設けられている請求項１〜３いずれかに記載の帽子用吸汗シート。
【請求項５】
前記つば用シート部に配置される吸収体に複数のエンボスが設けられ、少なくとも前記帯状シート部の長手方向両端部に配置される吸収体より相対的に高密度となるように設定されている請求項１〜４いずれかに記載の帽子用吸汗シート。
【請求項６】
前記表面シートの表面側から又は前記吸収体の表面シート側から前記帯状シート部とつば用シート部とに跨る線状のエンボスが設けられている請求項１〜５いずれかに記載の帽子用吸汗シート。
【発明の詳細な説明】
【技術分野】
【０００１】
本発明は、帽子の内側に貼着して汗を吸収することにより、顔に汗が流れるのを防止した帽子用吸汗シートに関する。
【背景技術】
【０００２】
運動時や作業時など大量に汗をかいたとき、汗が顔に流れるのを防止するため、汗を吸収する吸汗シートが知られている。
【０００３】
例えば、下記特許文献１には、帽子の内側の前側縁部に沿う額と接する部分に帯状の汗吸収繊維シートを貼着することが開示されている。また、下記特許文献２には、帯状の使い捨て汗取りを頭部に取り付けると、流れ出る汗が内蔵している吸水質材に吸い取られ、眼鏡、目などにも汗が流れてこなくなるというものが開示されている。
【先行技術文献】
【特許文献】
【０００４】
【特許文献１】特開２００５−１０３００８号公報
【特許文献２】特開平８−１５８１３７号公報
【発明の概要】
【発明が解決しようとする課題】
【０００５】
しかしながら、上記特許文献１記載の汗吸収繊維シートは、帽子の内側の前側縁部に沿って貼着するものであるため、帯状のシートの下端が帽子の縁部から線状にはみ出て、外部から汗取り用のシートを貼り付けていることが見えてしまう場合があり、非常に見栄えが悪かった。一方、上記特許文献２記載の使い捨て汗取りは直接額などに貼着するもので、外部からの見栄えというものは全く考慮されていなかった。
【０００６】
また、激しい運動をしたときなど大量に汗をかいたときには、帽子の内側の額に接する部分だけでは汗が吸収しきれない場合があり、また吸収した汗も帽子と額との間の圧力により逆戻りして顔にまで流れ出る場合があった。
【０００７】
更に、上記特許文献１記載のシートのように、帽子の内側に貼着する場合、帽子を脱着する際に帽子の前側縁部に位置するシート端が肌と擦れてヨレが生じ、シートがずれて汗を吸収できなくなるという問題があった。
【０００８】
そこで本発明の主たる課題は、外部から見ても吸汗シートを貼り付けていることが判らないようにするとともに、吸収量を向上させ、帽子を脱着する際のシート端のヨレを防止した帽子用吸汗シートを提供することにある。
【課題を解決するための手段】
【０００９】
上記課題を解決するために請求項１に係る本発明として、透液性の表面シートと不透液性の裏面シートとの間に吸収体が介在されるとともに、前記裏面シートの外面側に帽子に対する固定のための粘着剤層が形成された帽子用吸汗シートであって、
前記帽子用吸汗シートは、平面視で、帯状に形成される帯状シート部と、この帯状シート部の長手方向中央部から幅方向に延在して形成されるつば用シート部とから構成され、
使用時に、前記帯状シート部を帽子の内側の縁部に沿って固定するとともに、前記つば用シート部を基端部より折り曲げて帽子のつばの内側に固定するようにし、
前記帯状シート部とつば用シート部との境界部分又はその近傍に前記吸収体を貫通するスリットが形成され、このスリットが前記つば用シート部の折り曲げ基端部とされ、前記スリットは、前記帯状シート部の長手方向に対し間欠的に設けられていることを特徴とする帽子用吸汗シートが提供される。
【００１０】
上記請求項１記載の発明では、帽子用吸汗シートの平面視形状として、帯状に形成される帯状シート部と、この帯状シート部の長手方向中央部から幅方向に延在して形成されるつば用シート部とから構成されている。かかる帽子用吸汗シートは、使用時に、前記帯状シート部を帽子の内側の縁部に沿って固定するとともに、この帯状シート部から延在して形成される前記つば用シート部を基端部より折り曲げて帽子のつばの内側に固定するようにしている。
【００１１】
従って、使用状態で、帯状シート部の下端から延在するつば用シート部が折り曲げられて帽子のつばの内側に固定されているため、帯状シート部の下端が帽子の縁部からはみ出ることがなくなり、外部から汗取り用のシートを貼り付けていることが判らなくなる。また正面から見たときにつば用シート部が見えたとしても、帽子と一体化しているので帽子の裏地にしか見えず、非常に見栄えが良いものとなる。
【００１２】
また、帯状シート部から延在してつば用シート部が設けられているため、大量に汗をかいても、額に直接接する帯状シート部だけでなく、つば用シート部にまで吸汗の範囲を拡げることができ、吸収量が飛躍的に向上するとともに、吸収した汗の逆戻りも防止できるようになる。
【００１３】
更に、本帽子用吸汗シートでは、帯状シート部の下端から延在するつば用シート部が帽子のつば部分に折り曲げられて固定されているため、帽子を着脱するときにシート端がヨレにくくなり、シートのずれや、これに伴う吸汗量の減少などが生じにくくなる。
【００１４】
また、上記請求項１記載の発明では、帯状シート部とつば用シート部との境界部分又はその近傍に吸収体を貫通するスリットを形成することにより、このスリットを折り曲げ基端部として、つば用シート部を折り曲げやすくするとともに、つば用シート部を折り曲げたときに吸収体に生じるひずみを、このスリット部分で吸収して吸収体に皺やヨレが生じるのを防止している。
【００１５】
更に、上記請求項１記載の発明では、スリットを設けたときに吸収体が不連続になり、帯状シート部で吸収した汗がつば用シート部に拡散しにくくなることを防止するため、スリットを帯状シート部の長手方向に対し間欠的に設けるようにして、不連続部分をできるだけ少なくしている。
【００１６】
請求項２に係る本発明として、前記帯状シート部とつば用シート部との境界部分又はその近傍の両側部に、前記吸収体が切り欠かれるとともに、表面シートと裏面シートとを接合した吸収体切欠き部が形成され、この吸収体切欠き部に切り込み線が設けられるか、前記表面シート及び裏面シートが伸縮性を有する素材で構成され、前記吸収体のみに切り込み線が設けられるか、前記裏面シートが伸縮性を有する素材で構成され、前記表面シート及び吸収体に切り込み線が設けられ、且つこの切り込み線を設けた箇所の表面シートの外面側に伸縮性シートが設けられるか、前記表面シート、吸収体及び裏面シートに切り込み線が設けられ、且つこの切り込み線が設けられた箇所の表面シート及び裏面シートの外面側にそれぞれ伸縮性シートが設けられている請求項１記載の帽子用吸汗シートが提供される。
【００１７】
上記請求項２記載の発明では、帯状シート部とつば用シート部との境界部分又はその近傍の両側部に、切り込み線を設けることによって、帯状シート部を帽子の内側の丸みに沿って湾曲させやすくするとともに、つば用シート部を帽子のつばの丸みに沿って湾曲させやすくしている。この切り込み線を設ける形態として後段で詳述するように４つの形態を規定している。これら４つの形態は、大きく分けて、切り込み線を設けたままの状態としたもの（第１の形態、図１等）と、切り込み線を跨ぐように伸縮性シートが配設されたもの（第２〜第４の形態、図６〜図８）とがある。後者は、伸縮性シートによってつば用シート部側への汗の拡散性が確保できる点で好ましい形態である。
【００１８】
請求項３に係る本発明として、前記帯状シート部の長手方向中央部には幅方向に沿う圧縮線が設けられるとともに、前記つば用シート部には前記帯状シート部の長手方向中央部に対応する位置から幅方向に沿う線を含む圧縮線が設けられている請求項１、２いずれかに記載の帽子用吸汗シートが提供される。
【００１９】
上記請求項３記載の発明では、帯状シート部の長手方向中央部に幅方向に沿って圧縮線を設けるとともに、つば用シート部に前記帯状シート部の長手方向中央部に対応する位置から幅方向に沿う線を含む圧縮線を設けることにより、これら圧縮線を可撓軸として帯状シート部及びつば用シート部を帽子の丸みに沿って湾曲させやすくしている。
【００２０】
請求項４に係る本発明として、前記スリットは、前記表面シートから裏面シートまで貫通して設けられている請求項１〜３いずれかに記載の帽子用吸汗シートが提供される。
【００２１】
上記請求項４記載の発明では、表面シートから吸収体を通って裏面シートまで貫通するスリットを設けることにより、つば用シート部をより折り曲げやすくしている。なお、このようなスリットを設ける場合には、端部から吸収体が漏れ出ないように、吸収体の端部より内側に表面シート及び裏面シートを延在させ、この延在部分の表面シートと裏面シートとを接合しておく。
【００２２】
請求項５に係る本発明として、前記つば用シート部に配置される吸収体に複数のエンボスが設けられ、少なくとも前記帯状シート部の長手方向両端部に配置される吸収体より相対的に高密度となるように設定されている請求項１〜４いずれかに記載の帽子用吸汗シートが提供される。
【００２３】
上記請求項５記載の発明では、吸収体のうち、つば用シート部に配置される吸収体は、少なくとも帯状シート部の長手方向両端部に配置される吸収体より相対的に高密度に設定している。このため、帯状シート部の長手方向両端部に吸収された汗は、吸収体の密度差により、つば用シート部に拡散し易くなり、吸汗シート全体の吸収量を向上させることができるようになる。
【００２４】
請求項６に係る本発明として、前記表面シートの表面側から又は前記吸収体の表面シート側から前記帯状シート部とつば用シート部とに跨る線状のエンボスが設けられている請求項１〜５いずれかに記載の帽子用吸汗シートが提供される。
【００２５】
上記請求項６記載の発明では、帯状シート部とつば用シート部とに跨る線状のエンボスが設けられることにより、エンボスを付与した部分が吸収体の高密度領域となり、吸収体に吸収した汗がこのエンボスに沿ってつば用シート部側に誘導されるようになる。
【発明の効果】
【００２６】
以上詳説のとおり本発明によれば、外部から見ても吸汗シートを貼り付けていることが判らないとともに、吸収量が向上し、帽子を脱着する際のシート端のヨレが防止できるようになる。
【図面の簡単な説明】
【００２７】
【図１】本発明に係る帽子用吸汗シート１の一部破断平面図である。
【図２】帽子用吸汗シート１の使用状態を示す斜視図である。
【図３】帽子への装着状態を示す帽子の斜視図である。
【図４】帽子用吸汗シート１の裏面図である。
【図５】帽子用吸汗シート１の他の形態（その１）を示す平面図である。
【図６】帽子用吸汗シート１の他の形態（その２）を示す平面図である。
【図７】帽子用吸汗シート１の他の形態（その３）を示す平面図である。
【図８】帽子用吸汗シート１の他の形態（その４）を示す平面図である。
【図９】帽子用吸汗シート１の他の形態（その５）を示す平面図である。
【図１０】帽子用吸汗シート１の他の形態（その６）を示す平面図である。
【図１１】帽子用吸汗シート１の他の形態（その７）を示す平面図である。
【図１２】帽子用吸汗シート１の他の形態（その８）を示す平面図である。
【図１３】帽子用吸汗シート１の他の形態（その９）を示す平面図である。
【図１４】帽子用吸汗シート１の他の形態（その１０）を示す裏面図である。
【図１５】帽子用吸汗シート１の他の形態（その１１）を示す平面図である。
【図１６】帽子用吸汗シート１の他の形態（その１２）を示す平面図である。
【図１７】帽子用吸汗シート１の他の形態（その１３）を示す平面図である。
【図１８】帽子用吸汗シート１の他の形態（その１４）を示す平面図である。
【図１９】帽子用吸汗シート１の他の形態（その１５）を示す平面図である。
【発明を実施するための形態】
【００２８】
以下、本発明の実施の形態について図面を参照しながら詳述する。
【００２９】
本帽子用吸汗シート１は、例えば図１に示されるように、ポリエチレンシート、ポリプロピレンシートなどからなる不透液性の裏面シート２と、汗や皮脂などの体液を速やかに透過させる透液性の表面シート３と、これら両シート２、３間に介在された綿状パルプ又は合成パルプなどからなる吸収体４と、前記裏面シート２の裏面側に形成された帽子に対する固定のための粘着剤層６（図４参照）とから構成されている。前記吸収体４は、図示しないクレープ紙によって囲繞されるようにしてもよい。
【００３０】
特に、本帽子用吸汗シート１では、平面視で、帯状に形成される帯状シート部１０と、この帯状シート部１０の長手方向中央部から幅方向の一方側に円弧状に延在して形成されるつば用シート部１１とから構成されている。
【００３１】
かかる帽子用吸汗シート１は、図２及び図３に示されるように、使用時に、帯状シート部１０を帽子の内側の縁部に沿って固定するとともに、つば用シート部１１を基端部より折り曲げて帽子のつばの内側に固定するようにしている。
【００３２】
従って、使用状態で、図３に示されるように、帯状シート部１０の下端から延在するつば用シート部１１が折り曲げられて帽子のつばの内側に貼着されるため、帯状シート部１０の下端が帽子の縁部からはみ出ることがなくなり、外部から汗取り用のシートを貼り付けていることが判らなくなる。また、正面から見たときに、たとえつば用シート部１１が見えたとしても、帽子に固定され帽子と一体化しているので帽子の裏地にしか見えず、非常に見栄えが良いものとなる。
【００３３】
また、帯状シート部１０から延在してつば用シート部１１が設けられているため、大量に汗をかいても、額に直接接する帯状シート部１０だけでなく、つば用シート部１１にまで吸汗の範囲を拡げることができ、吸収量が飛躍的に向上するとともに、帯状シート部１０に汗が溜まりにくくなるので、帽子と額との間の圧迫による吸収した汗の逆戻りも防止できるようになる。
【００３４】
更に、本帽子用吸汗シート１では、帯状シート部１０の下端から延在するつば用シート部１１が帽子のつば部分に折り曲げられて固定されているため、帽子を着脱するときにシート端がヨレにくくなり、着脱時のシートのずれや、これに伴う吸汗量の減少などが生じにくくなる。
【００３５】
以下、さらに前記帽子用吸汗シート１の構造について詳述すると、
前記裏面シート２は、ポリエチレン、ポリプロピレン等の少なくとも遮水性を有するシート材が用いられるが、この他に防水フィルムを介在して実質的に不透液性を確保した上で不織布シート（この場合には、防水フィルムと不織布とで不透液性裏面シートを構成する。）などを用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。
【００３６】
次いで、前記表面シート３は、エアースルー法やスパンレース法など適宜の加工法によって得られた有孔または無孔の不織布が好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができる。この不織布の加工法としては、前述のエアースルー法やスパンレース法の他、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。不織布の他に多孔性プラスチックシートなども用いることができる。
【００３７】
前記裏面シート２と表面シート３との間に介在される吸収体４は、必要に応じて高吸水性樹脂を混入したパルプ繊維を予めシート状に加工したものが好適に使用され、厚み１〜３mm、高吸水性樹脂を混入した場合の配合はパルプ繊維１０〜２００g/m２、高吸水性樹脂１００g/m２以下のものが好適に使用される。前記パルプ繊維としては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。前記吸収体４としては、パルプシート以外に、パルプ繊維や親和性に優れた樹脂、例えばポリウレタンなどの樹脂を発泡させたスポンジ状の発泡樹脂を基材とする吸収性材料などを用いることができる。前記吸収体４は、形状保持、および汗等を速やかに拡散させるとともに、一旦吸収した汗等の逆戻りを防止するために図示しないクレープ紙によって囲繞することができる。
【００３８】
前記粘着剤層６を形成する粘着剤としては、たとえばスチレン系ポリマー、粘着付与剤、可塑剤のいずれかが主成分であるものが好適に使用される。前記スチレン系ポリマーとしては、スチレン−ブタジエン−スチレンブロック共重合体、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−ブタジエン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３９】
前記粘着剤層６は、図４に示されるように、(A)裏面シート２の裏面側の全面に塗布しても良いし、(B)周縁部のみに塗布しても良い。前記粘着剤層６は、図示しない剥離紙によって剥離可能に覆われ、使用時に剥離紙を剥離して、帽子の所定位置に貼着できるようになっている。
【００４０】
本帽子用吸汗シート１の形態例について更に詳しく説明すると、
図１に示されるように、帯状シート部１０とつば用シート部１１との境界部分の両側部には、切り込み線１２、１２を設けることが好ましい。この切り込み線１２によって、図２に示されるように、帯状シート部１０が帽子の内側の丸みに沿って湾曲しやすくなるとともに、つば用シート部１１が両側の切り込み線１２、１２の延長線付近を折り曲げ基端部として折り曲げやすくなるとともに、帽子のつばの丸みに沿って湾曲しやすくなる。この切り込み線１２は、内側に長く形成すれば帯状シート部１０及びつば用シート部１１を湾曲させやすくなるが、吸収体４が分断されてつば用シート部１１への拡散性が損なわれるため、必要以上に内側に長く形成するのは好ましくない。このため、帯状シート部１０とつば用シート部１１との境界部の長さ１１０mm〜１５０mmに対して、両側の切り込み線１２、１２の間隔は、５０mm〜１００mm程度となるように形成することが好ましい。また、切り込み線１２は、図１に示されるように、帯状シート部１０とつば用シート部１１との境界線及びその近傍に対し、帯状シート部１０側に凸の曲線状に設けても良いし、図５に示されるように、前記境界線に沿って直線状に設けることもできる。
【００４１】
切り込み線１２を設ける形態としては、次の４つの形態が挙げられる。第１の形態として、図１に示されるように、帯状シート部１０とつば用シート部１１との境界部分又はその近傍の両側部に、吸収体４を切り欠いて表面シート３と裏面シート２とを直接接合した吸収体切欠き部４ａを形成した上で、この吸収体切欠き部４ａに切り込み線１２を設けるようにする。これにより、切り込み線１２から吸収体４が漏れ出ずに帽子用吸汗シート１を変形することができる。
【００４２】
次に、第２〜第４の形態は、図６〜図８に示されるように、切り込み線１２を跨ぐシート材として伸縮性を有する素材で構成するか、伸縮性シート１８を配設したものである。このように伸縮性を付与することにより、図９に示されるように、切り込み線１２で表面シート３及び裏面シート２が伸張して帯状シート部１０とつば用シート部１１とがそれぞれの形状に合わせて変形できるようになるとともに、この変形状態でも切り込み線１２を跨ぐようにシート材が連続して配設されるため、吸収体４が不連続であってもこのシート材を通じてつば用シート部１１側への汗の拡散性が期待できるようになる。
【００４３】
切り込み線１２を設ける第２の形態として、図６に示されるように、吸収体４のみに切り込み線１２を形成し、表面シート３及び裏面シート２として伸縮性を有するものを用いることができる。表面シート３及び裏面シート２を伸縮性シートとしているため、後述の第３、第４の形態と比較して製造が簡単になる。
【００４４】
第３の形態として、図７に示されるように、表面シート３と吸収体４に切り込み線１２を形成し、裏面シート２として伸縮性シートを用いるとともに、前記表面シート３の外面側に切り込み線１２を跨ぐように伸縮性シート１８を配設することができる。本形態では、必要な部分にだけ伸縮性シート１８を配設しているため、資材コストの低減が図れるようになる。
【００４５】
第４の形態として、図８に示されるように、表面シート３、吸収体４及び裏面シート２に切り込み線１２を形成し、裏面シート２の外面側に切り込み線１２を跨ぐように不透液性の伸縮性シート１８を配設するとともに、表面シート３の外面側に切り込み線１２を跨ぐように透液性の伸縮性シート１８を配設することができる。
【００４６】
前記伸縮性を有する裏面シート２及び裏面シート２の外面側に配設される不透液性の伸縮性シート１８としては、伸縮性を有するプラスチックフィルム、具体的にはウレタン系フィルム、オレフィン系エラストマーなどフィルムを使用することができる。また、前記伸縮性を有する表面シート３及び表面シート３の外面側に配設される透液性の伸縮性シート１８としては、伸縮性を有する不織布、具体的には、ウレタン系の可逆的に塑性変形し易い弾性樹脂材料からなる長繊維で構成した不織布、または引き延ばされた際に繊維自体の繊維直径は変化しないものの、ジグザグ状またはスパイラル状の捲縮が形成され、この捲縮が引き延ばされることによって伸縮性を示すようにした不織布等を使用することができる。
【００４７】
また、図１に示されるように、帯状シート部１０の長手方向中央部には、前記つば用シート部１１と反対側の吸収体４の幅方向端から幅方向に沿って所定の長さで１本の圧縮線１３が設けられるとともに、つば用シート部１１には、帯状シート部１０の長手方向中央部に対応する位置から幅方向に沿う圧縮線１４が設けられている。前記圧縮線１４は、吸収体４の頂部から半径方向に沿って所定の長さで１本設けられている。これにより、これらの圧縮線１３、１４を可撓軸として帯状シート部１０及びつば用シート部１１の吸収体４が帽子の丸みに沿って湾曲しやすくなる。前記圧縮線１３、１４は、熱エンボスを付与することにより、表面シート３の表面側から又は吸収体４の表面シート３側から吸収体４の所定深さまで達するエンボス線である。前記圧縮線１３、１４はそれぞれ、つば用シート部１１の折り曲げ基端部にかからない程度に帯状シート部１０又はつば用シート部１１の中間位置まで形成されている。
【００４８】
つば用シート部１１に設けられる圧縮線１４は、図１０に示されるように、帯状シート部１０の長手方向中央部に対応する位置から幅方向に沿う線を含むとともに、この線の先端を斜め両側に延ばした逆Ｙ字状に形成してもよい。逆Ｙ字状とすることにより、Ｙ字状の中心部を頂点として山型に変形しやすくなり、帽子のつばの丸みに沿いやすくなるとともに、つば用シート部１１を折り曲げる際に折り曲げやすくなる。一方、前記圧縮線１４は、図１１に示されるように、つば用シート部１１に対し、帯状シート部１０の長手方向中央部から延在する方向、即ち円弧状に形成されたつば用シート部１１の半径方向に、円周方向に離間して複数本、図示例では３本設けることもできる。同様に圧縮線１３も帯状シート部１０の長手方向に離間して複数設けることもできる（図示せず）。これにより、帽子の丸みに対してさらに良好に湾曲できるようになる。
【００４９】
図１２に示されるように、帯状シート部１０とつば用シート部１１との境界部分の中央部には、境界線に沿って吸収体４を貫通するスリット１５を形成することができる。スリット１５を形成することにより、このスリット１５を折り曲げ基端部としてつば用シート部１１を折り曲げやすくすることができるとともに、つば用シート部１１を折り曲げたときに吸収体４に生じるひずみを、このスリット１５部分で吸収して吸収体４に皺やヨレが生じるのが防止できるようになる。このスリット１５の長手方向長さは、帯状シート部１０とつば用シート部１１との境界部の長さ１１０mm〜１５０mmに対して、その中央部に５０mmから１００mm程度で形成することが好ましい。このスリット１５を設けた場合、スリット１５と切り込み線１２とが重ならないように、切り込み線１２をスリット１５より外側に形成することが好ましく、スリット１５の長手方向両端部と切り込み線１２の端部との間隔が１０mm以下にならないように形成することが好ましい。
【００５０】
スリット１５は、図１３に示されるように、帯状シート部１０の長手方向に対し間欠的に形成することもできる。間欠的なスリットとすることにより、スリット１５を設けたときに吸収体４が不連続になり、帯状シート部１０で吸収した汗がつば用シート部１１に拡散しにくくなるという問題が解消できる。
【００５１】
また、スリット１５は、図１４に示されるように、表面シート３から吸収体４を通って裏面シート２まで貫通して設けることもできる。これにより、つば用シート部１１がより折り曲げやすくなる。なお、このような表面シート３から裏面シート２まで貫通するスリット１５を設ける場合には、端部から吸収体が漏れ出るおそれがあるため、吸収体４の端部より内側に表面シート３及び裏面シート２を延在させ、この延在部分の表面シート３と裏面シート２とを直接接合することによって、吸収体の漏れを防止する必要がある。また、このような表面シート３から裏面シート２まで貫通するスリット１５を設けるとともに、切り込み線１２を設ける形態のうち、吸収体切欠き部４ａを形成した上でこの吸収体切欠き部４ａに切り込み線１２を設ける形態（前記第１の形態）を同時に設けた場合には、図１４に示されるように、吸収体４が帯状シート部１０とつば用シート部１１との境界部分で分断するようになっても構わない。
【００５２】
このような表面側から裏面側に貫通するスリット１５を設けた場合、スリット１５部分が端部となって帽子からはみ出て外部から見えるおそれがあるため、同図１４に示されるように、スリット１５の前後に補助粘着剤層６ａ、６ａを設けることが好ましい。但し、この補助粘着剤層６ａは、図１４に示されるように、帽子用吸汗シート１の周縁部にのみ粘着剤層６を設けた場合に必要なものであり、図４(A)に示されるように、裏面シート２の全面に粘着剤層６を設けた場合には当然必要ないものである。
【００５３】
図１５に示される帽子用吸汗シート１は、切り込み線１２、１２を設けない場合の形態例である。この場合、帯状シート部１０を帽子の周縁に沿って湾曲させ、且つつば用シート部１１を帽子のつば部分に折り曲げようとすると、つば用シート部１１の比較的先端側に周方向に沿って吸収体４にひずみが生じやすいので、この部分に半円弧状に形成されたつば用シート部１１の円周方向に沿って吸収体４のスリット１５を設け、このスリット１５を折り曲げ基端部としてつば用シート部１１を折り曲げるようにしている。このように切り込み線１２を設けない場合には、吸収体４の不連続部分が減少するため、帯状シート部１０からつば用シート部１１への汗の拡散が生じやすくなる。
【００５４】
帯状シート部１０からつば用シート部１１への汗の拡散を促進するため、図１６及び図１７に示されるように、つば用シート部１１に配置される吸収体４が少なくとも帯状シート部１０の長手方向両端部に配置される吸収体４より相対的に高密度となるように設定することができる。図１６に示される帽子用吸汗シート１では、つば用シート部１１に対し、表面シート３の表面側から複数のドット状のエンボス１７、１７…を付与することにより、つば用シート部１１に配置される吸収体４が帯状シート部１０に配置される吸収体４より相対的に高密度に設定されている。これにより、帯状シート部１０の吸収体４に吸収された汗は、吸収体の密度差により、つば用シート部１１に拡散し易くなり、吸汗シート全体の吸収量が向上するようになる。前記エンボス１７、１７…は、同図１６に示されるように、つば用シート部１１の折り曲げ基端部から先端部に向けて、隣接するエンボス間隔を漸次狭くして、吸収体の繊維密度が外側に向けて漸次高くなるように設定することが好ましい。
【００５５】
また、図１７に示されるように、エンボス１７は、つば用シート部１１のみならず、帯状シート部１０の長手方向中央部に配置される吸収体４ａにも形成することができる。図１７に示される例では、吸収体４のうち、帯状シート部１０の長手方向中央部に配置される吸収体４ａと、つば用シート部１１に配置される吸収体４ｂとは、複数のドット状のエンボス１７、１７…が付与されることにより、それ以外の帯状シート部１０の長手方向両端部に配置される吸収体４ｃ、４ｃより相対的に高密度に設定されている。これにより、帯状シート部１０からつば用シート部１１へ連続的に汗を拡散させることができるようになる。
【００５６】
さらに、帯状シート部１０からつば用シート部１１への汗の拡散を促進するための他の手段として、図１８及び図１９に示されるように、表面シート３の表面側から、帯状シート部１０とつば用シート部１１とに跨る線状のエンボス１６を付与することができる。これにより、エンボス１６を付与した部分が吸収体の高密度領域となり、吸収体４に吸収した汗がこのエンボス１６に沿ってつば用シート部１１側に誘導されるようになる。図１８に示される例では、前記圧縮線１４が直線状に形成され、その両側の切り込み線１２との間にそれぞれ、帯状シート部１０からつば用シート部１１に向けて直線状に延びるとともに先端部で外側に湾曲した形状で形成されている。一方、図１９に示される例では、前記圧縮線１４が逆Ｙ字状に形成され、その両側の切り込み線１２との間にそれぞれ、帯状シート部１０の長手方向中央部から前記逆Ｙ字状の圧縮線１４を迂回するように曲線状に形成されている。線状のエンボス１６は、幅１mm〜３mm、深さ０．５mm〜２．５mm程度で形成することが好ましい。エンボス１６は、線状としてもよいし、複数の円状のドットを連接したような形状で形成してもよい。
【００５７】
〔他の形態例〕
(1)上記形態例では、帽子用吸汗シート１は、裏面シート２と表面シート３との間に吸収体が介在された構造としたが、少なくとも吸液性を有するシートが含まれていれば良く、不織布シートやコットンシート単独の構造でも構わない。
【符号の説明】
【００５８】
１…帽子用吸汗シート、２…裏面シート、３…表面シート、４…吸収体、６…粘着剤層、１０…帯状シート部、１１…つば用シート部、１２…切り込み線、１３・１４…圧縮線、１５…スリット
【図１】
0005912333.tif 000002
【図２】
0005912333.tif 000003
【図３】
0005912333.tif 000004
【図４】
0005912333.tif 000005
【図５】
0005912333.tif 000006
【図６】
0005912333.tif 000007
【図７】
0005912333.tif 000008
【図８】
0005912333.tif 000009
【図９】
0005912333.tif 000010
【図１０】
0005912333.tif 000011
【図１１】
0005912333.tif 000012
【図１２】
0005912333.tif 000013
【図１３】
0005912333.tif 000014
【図１４】
0005912333.tif 000015
【図１５】
0005912333.tif 000016
【図１６】
0005912333.tif 000017
【図１７】
0005912333.tif 000018
【図１８】
0005912333.tif 000019
【図１９】
0005912333.tif 000020